(57)【要約】【課題】発信側端末装置による網の選択を実現することができる網選択システムを実現する。【解決手段】複数網による接続が可能な着信側端末装置（着端末）２に対する発信側端末装置（発端末）１からの発信時に網の選択を実現するため、複数網のうち、発端末１からの発信時に接続可能な網を、発端末１に通知し、この通知後に、発端末１から網選択指令を取得する。この網選択指令に対応する網によって着端末２への接続処理を行う。プッシュボタン入力などによる網選択指令に対応する網によって接続処理を行うことにより、発端末１による網の選択を実現することができる。【選択図】      図１
2008028654.tif 000002
【特許請求の範囲】
【請求項１】
複数網による接続が可能な着信側端末装置に対する発信側端末装置からの発信時に網の選択を実現するための網選択システムに用いる交換装置であって、前記複数網のうち、前記発信側端末装置からの発信時に接続可能な網を、該発信側端末装置に通知する通知手段と、前記通知手段による通知後に、前記発信側端末装置から網選択指令を取得する網選択指令取得手段と、前記網選択指令取得手段によって取得された網選択指令に対応する網によって前記着信側端末装置への接続処理を行う接続手段とを含むことを特徴とする交換装置。
【請求項２】
複数網による接続が可能な着信側端末装置に対する発信側端末装置からの発信時に網の選択を実現するための網選択システムに用いる交換装置であって、前記複数網のうち、前記発信側端末装置により予め選択されて保持された優先網に関する優先網情報を取得する優先網情報取得手段と、前記優先網情報取得手段によって取得された優先網情報に対応する網によって前記着信側端末装置への接続処理を行う接続手段とを含むことを特徴とする交換装置。
【請求項３】
複数網による接続が可能な着信側端末装置に対する発信側端末装置からの発信時に網の選択を実現するための網選択システムに用いる交換装置であって、前記着信側端末装置のＩＤ情報に付加されている、前記複数網のうち接続を希望する網を示す接続希望網情報を、前記発信側端末装置からの発信時に取得する接続希望網情報取得手段と、前記接続希望網情報取得手段によって取得された接続希望網情報に対応する網によって前記着信側端末装置への接続処理を行う接続手段とを含むことを特徴とする交換装置。
【請求項４】
前記接続手段は、前記着信側端末装置への接続処理を行う網に対応する着信側交換装置に、前記発信側端末装置からの接続要求を転送することを特徴とする請求項１から請求項３までのいずれか１項に記載の交換装置。
【発明の詳細な説明】
【技術分野】
【０００１】
本発明は交換装置に関し、特に複数網による接続が可能な着信側端末装置に対する発信時に網の選択を実現するための網選択システムに用いる交換装置に関する。
【背景技術】
【０００２】
ＩＭＴ（International Mobile Telecommunication）２０００に準拠した携帯電話サービスであるＦＯＭＡ（登録商標、以下同じ）サービスと無線ＬＡＮ（Local Area Network）を利用したＰＷＬＡＮ（Private Wireless Local Area Network）サービスとを利用しているユーザが存在する。ＦＯＭＡサービスは、ＩＭＴ２０００に準拠した網（以下、ＦＯＭＡ網と呼ぶ）を用いて携帯電話サービスを実現するものである。一方、ＰＷＬＡＮサービスは、無線ＬＡＮ（以下、無線ＬＡＮ網と呼ぶ）による接続サービスをするものである。
【０００３】
これら両方のサービスを利用しているユーザについて、それぞれのサービスに用いるＩＤ（すなわち電話番号）の他に、代表ＩＤ（すなわち代表番号）を設定するサービス（以下、ワンナンバーサービスと呼ぶ）の実現が予定されている。そして、ワンナンバーサービスの契約を行ったユーザの端末装置に対して代表ＩＤによる発信を行う場合、そのユーザ（すなわち着信側端末装置のユーザ）の希望によって接続する網（すなわちベアラ）を選択する網選択サービスの実現が予定されている。
【０００４】
この網選択サービスの概要について、図１１を参照して説明する。同図は、Ａ網又はＢ網によって接続可能な着信側端末装置（以下、適宜、着端末と呼ぶ）へ発信する場合の動作例を示す図である。
同図を参照すると、最初に、発信側端末装置（以下、適宜、発端末と呼ぶ）１から接続要求を送信する（ステップＳ４１）。すると、この接続要求を受信した発側交換装置３は、着端末２のユーザに関するユーザ情報をユーザ情報管理装置４に問合せる（ステップＳ４２）。ここでは、着端末のユーザが事前に設定した網（すなわち着端末のユーザが着信を希望する網）に関する情報を問合せる。この問合せに応答して、ユーザ情報管理装置４は、必要に応じて、着端末のユーザ情報を他のユーザ情報管理装置５に問合せ（ステップＳ４３）、在圏状態などの確認をも行う。ユーザ情報管理装置４は、この問合せの結果により得られた在圏情報に基づいて決定した転送先を、発側交換装置３に通知する（ステップＳ４４）。
【０００５】
この転送先通知を受信した発側交換装置３は、着端末２への接続に用いる網を示すガイダンス音声を、発端末１に向けて送出する（ステップＳ４５）。ここで、Ａ網がＦＯＭＡ網であり、ＦＯＭＡ網を用いて接続する場合には、例えば、「ＦＯＭＡへ繋ぎます」というガイダンス音声を発端末１に向けて送出する。このガイダンス音声を送出した後、発側交換装置３は、Ａ網に対する着側交換装置６Ａに向けて接続要求を転送し、Ａ網を用いて着端末２に接続を行う（ステップＳ４６Ａ）。
【０００６】
一方、Ｂ網がＰＷＬＡＮ網であり、ＰＷＬＡＮ網を用いて接続する場合には、例えば、「無線ＬＡＮへ繋ぎます」というガイダンス音声を発端末１に向けて送出する。このガイダンス音声を送出した後、発側交換装置３は、Ｂ網に対する着側交換装置６Ｂに向けて接続要求を転送し、Ｂ網を用いて着端末２に接続を行う（ステップＳ４６Ｂ）。
ところで、特許文献１には、複数の無線網からユーザが希望する最適な無線網を自動的に選択する技術が記載されている。この特許文献１では、優先度に応じて網の選択を行っている。
【０００７】
また、特許文献２には、着側が優先接続したい網を登録しておき、優先でない番号へ発信された場合は優先番号への置き換えた後、着信処理を行う技術が記載されている。
特許文献３には、発信側および着信側の双方に都合の良い通信サービス種別を選択できるようにした技術が記載されている。そして、使用を許容する通信サービス種別を着信側で指定している。
【特許文献１】特開２００４−８０７０７号公報
【特許文献２】特開２００５−２４４４６３号公報
【特許文献３】特開２００１−３３３１８４号公報
【発明の開示】
【発明が解決しようとする課題】
【０００８】
しかし、上述した従来技術においては、着信側の希望によって網の選択を行っているため、発信側の希望は考慮されていない。一般に、通信サービスにおいて、課金されるのは着信側ではなく、発信側であるため、発信側による網の選択を実現する必要がある。このような発信側による網選択は、特許文献１〜特許文献３に記載されている技術では実現することができない。
本発明は上述した従来技術の問題点を解決するためになされたものであり、その目的は発信側端末装置による網の選択を実現することができる網選択システムに用いる交換装置を提供することである。
【課題を解決するための手段】
【０００９】
本発明の請求項１による交換装置は、複数網による接続が可能な着信側端末装置に対する発信側端末装置からの発信時に網の選択を実現するための網選択システムに用いる交換装置であって、前記複数網のうち、前記発信側端末装置からの発信時に接続可能な網を、該発信側端末装置に通知する通知手段と、前記通知手段による通知後に、前記発信側端末装置から網選択指令を取得する網選択指令取得手段と、前記網選択指令取得手段によって取得された網選択指令に対応する網によって前記着信側端末装置への接続処理を行う接続手段とを含むことを特徴とする。プッシュボタン（Push button；以下、ＰＢと略称する）入力などによる網選択指令に対応する網によって接続処理を行うことにより、発信側端末装置による網の選択を実現することができる。
【００１０】
本発明の請求項２による交換装置は、複数網による接続が可能な着信側端末装置に対する発信側端末装置からの発信時に網の選択を実現するための網選択システムに用いる交換装置であって、前記複数網のうち、前記発信側端末装置により予め選択されて保持された優先網に関する優先網情報を取得する優先網情報取得手段と、前記優先網情報取得手段によって取得された優先網情報に対応する網によって前記着信側端末装置への接続処理を行う接続手段とを含むことを特徴とする。予め設定された情報に対応する網によって接続処理を行うことにより、発信側端末装置による網の選択を実現することができる。
【００１１】
本発明の請求項３による交換装置は、複数網による接続が可能な着信側端末装置に対する発信側端末装置からの発信時に網の選択を実現するための網選択システムに用いる交換装置であって、前記着信側端末装置のＩＤ情報に付加されている、前記複数網のうち接続を希望する網を示す接続希望網情報（後述する付加番号に対応）を、前記発信側端末装置からの発信時に取得する接続希望網情報取得手段と、前記接続希望網情報取得手段によって取得された接続希望網情報に対応する網によって前記着信側端末装置への接続処理を行う接続手段とを含むことを特徴とする。発信時に付加された情報に対応する網によって接続処理を行うことにより、発信側端末装置による網の選択を実現することができる。
【００１２】
本発明の請求項４による交換装置は、請求項１から請求項３までのいずれか１項において、前記接続手段は、前記着信側端末装置への接続処理を行う網に対応する着信側交換装置に、前記発信側端末装置からの接続要求を転送することを特徴とする。接続要求を、網に対応する着信側交換装置に転送することにより、発信側端末装置による網の選択を実現することができる。
【発明の効果】
【００１３】
本発明は、ＰＢ入力、予め設定された情報、発信時に付加された情報、に対応する網によって接続処理を行うことにより、発信側端末装置による網の選択を実現できるという効果がある。
【発明を実施するための最良の形態】
【００１４】
以下、本発明の実施の形態を、図面を参照して説明する。なお、以下の説明において参照する各図では、他の図と同等部分は同一符号によって示されている。
本発明では、複数網による接続が可能な着信側端末装置に対する網の選択を、発信側で実現するための実施形態として、ＰＢ入力による網選択、事前設定による網選択、発信時の付加情報による網選択、について説明する。なお、発端末、着端末は、例えば、周期の携帯電話端末によって実現でき、各交換装置、ユーザ管理装置は、周期のサーバ装置によって実現できる。
【００１５】
（ＰＢ入力による網選択）
図１は、本発明の実施形態による交換装置を用いた網選択システムの構成を示す図である。本実施形態は、ＰＢ入力による網選択を実現するものである。同図は、Ａ網又はＢ網によって接続可能な着端末２へ発端末１から発信する場合の動作例を示す図である。
同図において、最初に、発端末１から接続要求を送信する（ステップＳ１１）。すると、この接続要求を受信した発側交換装置３は、着端末２のユーザに関するユーザ情報をユーザ情報管理装置４に問合せる（ステップＳ１２）。この問合せに応答して、ユーザ情報管理装置４は、着端末のユーザ情報を他のユーザ情報管理装置５に問合せる（ステップＳ１３）。この問合せを受けたユーザ情報管理装置５は、着端末２について、Ｂ網での在圏状態の確認を行う（ステップＳ１３Ｂ）。同様に、ユーザ情報管理装置４は、着端末２について、Ａ網での在圏状態の確認を行う（ステップＳ１３Ａ）。
【００１６】
ユーザ情報管理装置４は、得られた在圏情報に基づいて、接続可能な網に関するガイダンス音声の送出指示を、発側交換装置３に送信する（ステップＳ４４）。
このガイダンス送出指示を受信した発側交換装置３は、着端末２への接続に用いる網を示すガイダンス音声を、発端末１に向けて送出する（ステップＳ１５）。ここで、Ａ網がＦＯＭＡ網、Ｂ網がＰＷＬＡＮ網であり、共に接続可能であれば、例えば、「ＦＯＭＡ網へ繋ぐ場合１を、無線ＬＡＮへ繋ぐ場合２を、押して下さい」というガイダンス音声を発端末１に向けて送出する。Ａ網であるＦＯＭＡ網にのみ接続可能であれば、例えば、「ＦＯＭＡ網へ繋ぐ場合１を、押して下さい」というガイダンス音声を発端末１に向けて送出する。Ｂ網であるＰＷＬＡＮ網にのみ接続可能であれば、例えば、「無線ＬＡＮへ繋ぐ場合２を、押して下さい」というガイダンス音声を発端末１に向けて送出する。
【００１７】
その後、発端末１でのＰＢ操作による入力内容（以下、ＰＢ情報と称する）が発側交換装置３に送信される（ステップＳ１６）。発側交換装置３は、ＰＢ情報をユーザ情報管理装置４に転送する（ステップＳ１７）。これを受信したユーザ情報管理装置４は、ＰＢ情報に対応する転送先（すなわち、Ａ網の着側交換装置又はＢ網の着側交換装置）を発側交換装置３に指示する（ステップＳ１８）。この指示を受取った発側交換装置３は、その指示内容に応じて接続要求を転送する。すなわち、Ａ網を用いる場合、発側交換装置３は、Ａ網に対する着側交換装置６Ａに向けて接続要求を転送し、Ａ網を用いて着端末２に接続を行う（ステップＳ１９Ａ）。一方、Ｂ網を用いる場合、発側交換装置３は、Ｂ網に対する着側交換装置６Ｂに向けて接続要求を転送し、Ｂ網を用いて着端末２に接続を行う（ステップＳ１９Ｂ）。
【００１８】
図２は、以上の動作を実現するための発側交換装置の機能ブロック図である。同図を参照すると、発側交換装置３は、複数網のうち、発端末１からの発信時に接続可能な網を、発端末１に通知する通知手段３１と、通知手段３１による通知後に、発端末１から網選択指令を取得する網選択指令取得手段３２と、網選択指令取得手段３２によって取得された網選択指令に対応する網によって着端末２への接続処理を行う接続手段３３とを含んで構成されている。ＰＢ入力などによる網選択指令に対応する網によって接続処理を行うことにより、発端末１による網の選択を実現することができる。
【００１９】
図１の動作における信号授受の詳細について、図３を参照して説明する。同図は、ＰＢ入力による網選択指令に対応する網によって接続処理を行う場合の信号授受の例を示すシーケンス図である。
同図において、最初に、発端末１から接続要求を送信すると（ステップＳ１１）、発側交換装置３は、着端末２のユーザに関するユーザ情報を、Ａ網に対応するユーザ情報管理装置４に問合せる（ステップＳ１２）。
【００２０】
ユーザ情報管理装置４は、着端末のユーザ情報を、Ｂ網に対応するユーザ情報管理装置５に問合せる（ステップＳ１３−１）。この問合せを受けたユーザ情報管理装置５は、着端末２について、Ｂ網での在圏情報問合せを着側交換装置６Ｂに送信する（ステップＳ１３Ｂ１）。この在圏情報問合せを受信した着側交換装置６Ｂは、着端末２に対し、在圏確認を送信する（ステップＳ１３Ｂ２）。この在圏確認を受信した着端末２は、在圏確認応答を送信する（ステップＳ１３Ｂ３）。この在圏確認応答を受信した着側交換装置６Ｂは、在圏情報問合せ応答をユーザ情報管理装置５に送信する（ステップＳ１３Ｂ４）。ユーザ情報管理装置５は、ユーザ情報取得応答をユーザ情報管理装置４に送信する（ステップＳ１３−２）。
【００２１】
同様に、ユーザ情報管理装置４は、着端末２について、Ａ網での在圏情報問合せを着側交換装置６Ａに送信する（ステップＳ１３Ａ１）。この在圏情報問合せを受信した着側交換装置６Ａは、着端末２に対し、在圏確認を送信する（ステップＳ１３Ａ２）。この在圏確認を受信した着端末２は、在圏確認応答を送信する（ステップＳ１３Ａ３）。この在圏確認応答を受信した着側交換装置６Ａは、在圏情報問合せ応答をユーザ情報管理装置５に送信する（ステップＳ１３Ａ４）。
【００２２】
ユーザ情報管理装置４は、以上のような信号授受によって得られた在圏情報に基づいて、接続可能な網に関するガイダンス音声の送出指示を、発側交換装置３に送信する（ステップＳ１４）。すなわち、着端末２についての、Ａ網在圏状態、Ｂ網在圏状態に基づき、対応するガイダンス音声を送出するための指示が、発側交換装置３に向けて送信する。
このガイダンス送出指示を受信した発側交換装置３は、着端末２への接続に用いる網を示すガイダンス音声を、発端末１に向けて送出する（ステップＳ１５）。その後、発端末１でのＰＢ操作による入力内容（以下、ＰＢ情報と称する）が発側交換装置３に送信される（ステップＳ１６）。発側交換装置３は、ＰＢ情報をユーザ情報管理装置４に転送する（ステップＳ１７）。これを受信したユーザ情報管理装置４は、ＰＢ情報に対応する転送先を判定する（ステップＳ１７’）。すなわち、Ａ網の着側交換装置又はＢ網の着側交換装置を、転送先として、発側交換装置３に接続指示する（ステップＳ１８）。
【００２３】
この接続指示を受取った発側交換装置３は、その指示内容に応じて接続要求を転送する。すなわち、Ａ網を用いる場合、発側交換装置３は、Ａ網に対する着側交換装置６Ａに向けて接続要求を転送する（ステップＳ１９Ａ１）。そして、着側交換装置６Ａは、Ａ網を用いて着端末２に接続要求を送信する（ステップＳ１９Ａ２）。
一方、Ｂ網を用いる場合、発側交換装置３は、Ｂ網に対する着側交換装置６Ｂに向けて接続要求を転送する（ステップＳ１９Ｂ１）。そして、着側交換装置６Ｂは、Ｂ網を用いて着端末２に接続要求を送信する（ステップＳ１９Ｂ２）。
以上のように、ＰＢ入力などによる網選択指令に対応する網によって接続処理を行うことにより、発信側端末装置による網の選択を実現することができる。なお、ＰＢ入力に限らず、音声入力によって網を選択しても良い。
【００２４】
（事前設定による網選択）
図４は、本発明の実施形態による交換装置を用いた網選択システムの構成を示す図である。本実施形態は、事前設定による網選択を実現するものである。同図は、Ａ網又はＢ網によって接続可能な着端末２へ発端末１から発信する場合の動作例を示す図である。
同図において、最初に、発端末１から接続要求を送信する（ステップＳ２１）。すると、この接続要求を受信した発側交換装置３は、着端末２のユーザに関するユーザ情報を着側ユーザ情報管理装置４Ａに問合せる（ステップＳ２２）。この問合せに応答して、着側ユーザ情報管理装置４Ａは、発側ユーザ情報管理装置７に、発ユーザに関するプロファイル情報の設定内容を確認する（ステップＳ２３）。
【００２５】
なお、発ユーザに関するプロファイル情報Ｐは、発側ユーザ情報管理装置７に予め設定されているものとする。このプロファイル情報Ｐは、優先網に関する情報である。例えば、「Ａ網優先で接続」、「Ａ網のみで接続」、「Ｂ網優先で接続」、「Ｂ網のみで接続」、などの内容を設定することができる。このように、発端末１により予め選択された優先網情報が発側ユーザ情報管理装置７に保持されており、この情報が着側ユーザ情報管理装置４Ａによって取得されることになる。
【００２６】
その後、着側ユーザ情報管理装置４Ａは、着端末のユーザ情報を他の着側ユーザ情報管理装置４Ｂに問合せる（ステップＳ２４）。この問合せを受けたユーザ情報管理装置４Ｂは、着端末２について、Ｂ網での在圏状態の確認を行う（ステップＳ２４Ｂ）。同様に、着側ユーザ情報管理装置４Ａは、着端末２について、Ａ網での在圏状態の確認を行う（ステップＳ２４Ａ）。
【００２７】
着側ユーザ情報管理装置４Ａは、得られた在圏情報に基づいて、転送先（すなわち、Ａ網の着側交換装置又はＢ網の着側交換装置）を発側交換装置３に指示する（ステップＳ２５）。この指示を受取った発側交換装置３は、その指示内容に応じて、着端末２への接続に用いる網を示すガイダンス音声を、発端末１に向けて送出する（ステップＳ２６）。ここで、Ａ網であるＦＯＭＡ網に接続する場合、例えば、「ＦＯＭＡ網へ繋ぎます」というガイダンス音声を発端末１に向けて送出する。また、Ｂ網であるＰＷＬＡＮ網に接続する場合、例えば、「無線ＬＡＮへ繋ぎます」というガイダンス音声を発端末１に向けて送出する。
【００２８】
その後、発側交換装置３は、上記指示内容に応じて接続要求を転送する。すなわち、Ａ網を用いる場合、発側交換装置３は、Ａ網に対する着側交換装置６Ａに向けて接続要求を転送し、Ａ網を用いて着端末２に接続を行う（ステップＳ２７Ａ）。一方、Ｂ網を用いる場合、発側交換装置３は、Ｂ網に対する着側交換装置６Ｂに向けて接続要求を転送し、Ｂ網を用いて着端末２に接続を行う（ステップＳ２７Ｂ）。
【００２９】
図５は、以上の動作を実現するための発側交換装置の機能ブロック図である。同図を参照すると、発側交換装置３は、複数網のうち、発端末１により予め選択されて保持された優先網に関する優先網情報を取得する優先網情報取得手段３４と、優先網情報取得手段３４によって取得された優先網情報に対応する網によって着端末２への接続処理を行う接続手段３３とを含んで構成されている。予め設定された情報に対応する網によって接続処理を行うことにより、発端末１による網の選択を実現することができる。
【００３０】
図４の動作における信号授受の詳細について、図６を参照して説明する。同図は、予め設定された情報に対応する網によって接続処理を行う場合の信号授受の例を示すシーケンス図である。
同図において、最初に、発端末１から接続要求を送信すると（ステップＳ２１）、この接続要求を受信した発側交換装置３は、着端末２のユーザに関するユーザ情報を着側ユーザ情報管理装置４Ａに問合せる（ステップＳ２２）。この問合せに応答して、着側ユーザ情報管理装置４Ａは、発側ユーザ情報管理装置７に、発ユーザに関するプロファイル情報を取得するため、ユーザ情報取得要求を送信する（ステップＳ２３−１）。このユーザ情報取得要求を受信した発側ユーザ情報管理装置７は、ユーザ情報取得応答を送信する（ステップＳ２３−２）。このユーザ情報取得応答は、接続すべき優先網を示す情報を含んでいる。すなわち、Ａ網優先又はＢ網優先を示す情報がユーザ情報取得応答に含まれている。
【００３１】
その後、着側ユーザ情報管理装置４Ａは、着端末のユーザ情報を着側ユーザ情報管理装置４Ｂに問合せるため、ユーザ情報取得要求を送信する（ステップＳ２４−１）。この問合せを受けたユーザ情報管理装置４Ｂは、着端末２について、Ｂ網での在圏情報問合せを着側交換装置６Ｂに送信する（ステップＳ２４Ｂ１）。この在圏情報問合せを受信した着側交換装置６Ｂは、着端末２に対し、在圏確認を送信する（ステップＳ２４Ｂ２）。この在圏確認を受信した着端末２は、在圏確認応答を送信する（ステップＳ２４Ｂ３）。この在圏確認応答を受信した着側交換装置６Ｂは、在圏情報問合せ応答を着側ユーザ情報管理装置４Ｂに送信する（ステップＳ２４Ｂ４）。着側ユーザ情報管理装置４Ｂは、ユーザ情報取得応答をユーザ情報管理装置４に送信する（ステップＳ２４−２）。
【００３２】
同様に、着側ユーザ情報管理装置４Ａは、着端末２について、Ａ網での在圏情報問合せを着側交換装置６Ａに送信する（ステップＳ２４Ａ１）。この在圏情報問合せを受信した着側交換装置６Ａは、着端末２に対し、在圏確認を送信する（ステップＳ２４Ａ２）。この在圏確認を受信した着端末２は、在圏確認応答を送信する（ステップＳ２４Ａ３）。この在圏確認応答を受信した着側交換装置６Ａは、在圏情報問合せ応答を着側ユーザ情報管理装置４Ａに送信する（ステップＳ２４Ａ４）。
【００３３】
以上のようにして得られた優先網情報と在圏情報とに基づいて、着側ユーザ情報管理装置４Ａは、接続網を判定し（ステップＳ２５−１）、接続先（すなわち、Ａ網の着側交換装置又はＢ網の着側交換装置）を発側交換装置３に指示する（ステップＳ２５−２）。この指示を受取った発側交換装置３は、その指示内容に応じて、着端末２への接続に用いる網を示すガイダンス音声を、発端末１に向けて送出する（ステップＳ２６）。
【００３４】
その後、発側交換装置３は、上記指示内容に応じて接続要求を転送する。すなわち、Ａ網を用いる場合、発側交換装置３は、Ａ網に対する着側交換装置６Ａに向けて接続要求を転送する（ステップＳ２７Ａ１）。そして、着側交換装置６Ａは、Ａ網を用いて着端末２に接続要求を送信する（ステップＳ２７Ａ２）。
一方、Ｂ網を用いる場合、発側交換装置３は、Ｂ網に対する着側交換装置６Ｂに向けて接続要求を転送する（ステップＳ２７Ｂ１）。そして、着側交換装置６Ｂは、Ｂ網を用いて着端末２に接続要求を送信する（ステップＳ２７Ｂ２）。
以上のように、予め設定された情報に対応する網によって接続処理を行うことにより、発信側端末装置による網の選択を実現することができる。
【００３５】
（事前設定による網選択の変形例）
ところで、図４及び図６を参照した動作は、発端末１からの発信の都度、優先網情報すなわち接続すべき網がＡ網であるかＢ網であるかに関するプロファイル情報を発側ユーザ情報管理装置７から取得している。これに対し、プロファイル情報を発側交換装置に予め保持しておき、それを参照するようにしても良い。この場合、発端末１が移動して位置登録を行う都度、発側交換装置３が発側ユーザ情報管理装置７からプロファイル情報を取得すれば良い。
【００３６】
このような動作における信号授受の詳細について、図７を参照して説明する。同図において、発端末１の位置登録時に、発側ユーザ情報管理装置７から発側交換装置３へ、ユーザ情報すなわちプロファイル情報を送信する（ステップＳ２０−１）。このプロファイル情報は、優先網に関する情報である。つまり、発端末１により予め選択された優先網情報が発側ユーザ情報管理装置７に保持されており、この情報が発側交換装置３によって取得されることになる。これを受信した発側交換装置３は、プロファイル情報を保持する（ステップＳ２０−２）。
【００３７】
その後、発端末１から接続要求が送信された場合（ステップＳ２１）。すると、この接続要求を受信した発側交換装置３は、保持しているプロファイル情報と共に着端末２のユーザに関するユーザ情報を着側ユーザ情報管理装置４Ａに問合せる（ステップＳ２２）。この問合せに応答して、着側ユーザ情報管理装置４Ａは、プロファイル情報を他の装置に問合せることなく、着端末のユーザ情報を着側ユーザ情報管理装置４Ｂに問合せるためのユーザ情報取得要求を送信する（ステップＳ２４−１）。以後は、図６を参照して説明した動作と同様であるため、その説明を省略する。
このように、位置登録の際に、プロファイル情報を予め取得しておくことにより、発信時の信号授受を簡略化でき、接続までの処理時間を短くすることができる。
【００３８】
（発信時の付加情報による網選択）
図８は、本発明の実施形態による交換装置を用いた網選択システムの構成を示す図である。本実施形態は、発信時の付加情報による網選択を実現するものである。同図は、Ａ網又はＢ網によって接続可能な着端末２へ発端末１から発信する場合の動作例を示す図である。
【００３９】
同図において、最初に、発端末１から接続要求を送信する（ステップＳ３１）。この際、発端末１からは、代表番号（つまり代表ＩＤ）に付加番号を付加して発信する。
すると、この接続要求を受信した発側交換装置３においては、予め保持されている付加番号リストＬに合致するものがあれば、接続すべき網に関する情報すなわち接続要求を転送すべき網の情報と、着端末２のユーザに関するユーザ情報とを、ユーザ情報管理装置４に問合せる（ステップＳ３２）。この問合せに応答して、ユーザ情報管理装置４は、着端末のユーザ情報を他のユーザ情報管理装置５に問合せる（ステップＳ３３）。この問合せを受けたユーザ情報管理装置５は、着端末２について、Ｂ網での在圏状態の確認を行う（ステップＳ３４Ｂ）。同様に、ユーザ情報管理装置４は、着端末２について、Ａ網での在圏状態の確認を行う（ステップＳ３４Ａ）。
【００４０】
着側ユーザ情報管理装置４Ａは、得られた在圏情報に基づいて、転送先（すなわち、Ａ網の着側交換装置又はＢ網の着側交換装置）を発側交換装置３に指示する（ステップＳ３５）。この指示を受取った発側交換装置３は、その指示内容に応じて、着端末２への接続に用いる網を示すガイダンス音声を、発端末１に向けて送出する（ステップＳ３６）。ここで、Ａ網であるＦＯＭＡ網に接続する場合、例えば、「ＦＯＭＡ網へ繋ぎます」というガイダンス音声を発端末１に向けて送出する。また、Ｂ網であるＰＷＬＡＮ網に接続する場合、例えば、「無線ＬＡＮへ繋ぎます」というガイダンス音声を発端末１に向けて送出する。
【００４１】
その後、発側交換装置３は、上記指示内容に応じて接続要求を転送する。すなわち、Ａ網を用いる場合、発側交換装置３は、Ａ網に対する着側交換装置６Ａに向けて接続要求を転送し、Ａ網を用いて着端末２に接続を行う（ステップＳ３７Ａ）。一方、Ｂ網を用いる場合、発側交換装置３は、Ｂ網に対する着側交換装置６Ｂに向けて接続要求を転送し、Ｂ網を用いて着端末２に接続を行う（ステップＳ３７Ｂ）。
【００４２】
図９は、以上の動作を実現するための発側交換装置の機能ブロック図である。同図を参照すると、発側交換装置３は、着信側端末装置のＩＤ情報に付加されている、複数網のうち接続を希望する網を示す接続希望網情報（すなわち付加番号）を、発端末１からの発信時に取得する接続希望網情報取得手段３５と、接続希望網情報取得手段３５によって取得された接続希望網情報に対応する網によって着端末２への接続処理を行う接続手段３３とを含んで構成されている。発信時に付加された情報に対応する網によって接続処理を行うことにより、発端末１による網の選択を実現することができる。
【００４３】
図８の動作における信号授受の詳細について、図１０を参照して説明する。同図は、発信時の付加情報による網選択に応じて接続処理を行う場合の信号授受の例を示すシーケンス図である。
同図において、代表番号（つまり代表ＩＤ）に付加番号を付加して、発端末１から接続要求を送信すると（ステップＳ３１）、発側交換装置３は、予め保持されている付加番号リストＬに合致するものがあれば、接続すべき網に関する情報すなわち接続要求を転送すべき網の情報と、着端末２のユーザに関するユーザ情報とを、ユーザ情報管理装置４に問合せる（ステップＳ３２）。
【００４４】
ユーザ情報管理装置４は、付加番号に基づいて、優先網すなわち、発端末１において接続要求として指示された網がＡ網かＢ網か判定する（ステップＳ３２−１）。そして、ユーザ情報管理装置４は、付加番号を取り除いて、着ユーザ番号を認識する（ステップＳ３２−２）。
その後、着側ユーザ情報管理装置４は、着端末のユーザ情報を着側ユーザ情報管理装置４Ｂに問合せるため、ユーザ情報取得要求を送信する（ステップＳ３３−１）。この問合せを受けたユーザ情報管理装置５は、着端末２について、Ｂ網での在圏情報問合せを着側交換装置６Ｂに送信する（ステップＳ３４Ｂ１）。この在圏情報問合せを受信した着側交換装置６Ｂは、着端末２に対し、在圏確認を送信する（ステップＳ３４Ｂ２）。この在圏確認を受信した着端末２は、在圏確認応答を送信する（ステップＳ３４Ｂ３）。この在圏確認応答を受信した着側交換装置６Ｂは、在圏情報問合せ応答をユーザ情報管理装置５に送信する（ステップＳ３４Ｂ４）。ユーザ情報管理装置５は、ユーザ情報取得応答をユーザ情報管理装置４に送信する（ステップＳ３３−２）。
【００４５】
同様に、ユーザ情報管理装置４は、着端末２について、Ａ網での在圏情報問合せを着側交換装置６Ａに送信する（ステップＳ３４Ａ１）。この在圏情報問合せを受信した着側交換装置６Ａは、着端末２に対し、在圏確認を送信する（ステップＳ３４Ａ２）。この在圏確認を受信した着端末２は、在圏確認応答を送信する（ステップＳ３４Ａ３）。この在圏確認応答を受信した着側交換装置６Ａは、在圏情報問合せ応答をユーザ情報管理装置５に送信する（ステップＳ３４Ａ４）。
【００４６】
以上のようにして得られた優先網情報と在圏情報とに基づいて、着側ユーザ情報管理装置４は、接続網を判定し（ステップＳ３５−１）、接続先（すなわち、Ａ網の着側交換装置又はＢ網の着側交換装置）を発側交換装置３に指示する（ステップＳ３５−２）。この指示を受取った発側交換装置３は、その指示内容に応じて、着端末２への接続に用いる網を示すガイダンス音声を、発端末１に向けて送出する（ステップＳ３６）。
【００４７】
その後、発側交換装置３は、上記指示内容に応じて接続要求を転送する。すなわち、Ａ網を用いる場合、発側交換装置３は、Ａ網に対する着側交換装置６Ａに向けて接続要求を転送する（ステップＳ３７Ａ１）。そして、着側交換装置６Ａは、Ａ網を用いて着端末２に接続要求を送信する（ステップＳ３７Ａ２）。
一方、Ｂ網を用いる場合、発側交換装置３は、Ｂ網に対する着側交換装置６Ｂに向けて接続要求を転送する（ステップＳ３７Ｂ１）。そして、着側交換装置６Ｂは、Ｂ網を用いて着端末２に接続要求を送信する（ステップＳ３７Ｂ２）。
以上のように、発信時に付加された情報に対応する網によって接続処理を行うことにより、発信側端末装置による網の選択を実現することができる。
【００４８】
（変形例）
図４〜図７を参照して説明した事前設定による網選択及びその変形例の場合、ガイダンス音声の送出を省略しても良い。こうすることにより、接続までの処理時間をより短くすることができる。同様に、図８及び図１０を参照して説明した発信時の付加情報による網選択の場合も、ガイダンス音声の送出を省略することにより、接続までの処理時間をより短くすることができる。
なお、以上は、発信側で選択する網が２種類である場合について説明したが、より多くの種類の網について選択する場合に本発明が適用できることは明白である。
【産業上の利用可能性】
【００４９】
本発明は、複数網による接続が可能な着信側端末装置に対する網の選択に利用することができる。
【図面の簡単な説明】
【００５０】
【図１】本発明の実施の形態に係る交換装置を用いた、ＰＢ入力による網選択を実現する網選択システムの構成を示す図である。
【図２】図１の動作を実現するための発側交換装置の機能ブロック図である。
【図３】ＰＢ入力による網選択指令に対応する網によって接続処理を行う場合の信号授受の例を示すシーケンス図である。
【図４】本発明の実施の形態に係る交換装置を用いた、事前設定による網選択を実現する網選択システムの構成を示す図である。
【図５】図４の動作を実現するための発側交換装置の機能ブロック図である。
【図６】予め設定された情報に対応する網によって接続処理を行う場合の信号授受の例を示すシーケンス図である。
【図７】図４及び図６に対する変形例の場合の信号授受の例を示すシーケンス図である。
【図８】本発明の実施の形態に係る交換装置を用いた、発信時の付加情報による網選択を実現する網選択システムの構成を示す図である。
【図９】図８の動作を実現するための発側交換装置の機能ブロック図である。
【図１０】発信時の付加情報による網選択に応じて接続処理を行う場合の信号授受の例を示すシーケンス図である。
【図１１】着信側による網選択サービスの概要を示す図である。
【符号の説明】
【００５１】
１  発端末
２  着端末
３  発側交換装置
４、４Ａ、４Ｂ  着側ユーザ情報管理装置
５  ユーザ情報管理装置
６Ａ、６Ｂ  着側交換装置
７  発側ユーザ情報管理装置
３１  通知手段
３２  網選択指令取得手段
３３  接続手段
３４  優先網情報取得手段
３５  接続希望網情報取得手段
Ｌ  付加番号リスト
Ｐ  プロファイル情報
【図１】
2008028654.tif 000003
【図２】
2008028654.tif 000004
【図３】
2008028654.tif 000005
【図４】
2008028654.tif 000006
【図５】
2008028654.tif 000007
【図６】
2008028654.tif 000008
【図７】
2008028654.tif 000009
【図８】
2008028654.tif 000010
【図９】
2008028654.tif 000011
【図１０】
2008028654.tif 000012
【図１１】
2008028654.tif 000013